(57)【要約】【課題】  使用しないときは、外すことをせずに、部屋のコーナーを形成する二面の壁に添接状態に所謂押し付けて置くだけの簡単な作業で邪魔にならないようにできる工夫を施した保護柵を提供する。【解決手段】  同じ長さの柵セグメント１１ａ、１１ｂの一対を回動自在に連結する。その両端をコーナー１３ａを形成する二面の固定物（例えば壁１４ａ、１４ｂ）への取付部に軸着する。少なくとも一方の柵セグメント１１ａに折曲自在部２３を形成する。他方の柵セグメント１１ｂの内方向への直角回動時に、一方の柵セグメント１１ａも固定物（例えば壁１４ｂ、１４ａ）の一面に直線状に添接する。【選択図】        図３
2008178625.tif 000002
【特許請求の範囲】
【請求項１】
同じ長さの柵セグメントの一対を回動自在に連結し、その両端をコーナーを形成する二面の固定物への取付部に軸着し、前記少なくとも一方の柵セグメントに折曲自在部を形成し、前記他方の柵セグメントの内方向への直角回動時に、前記一方の柵セグメントも前記固定物の一面に直線状に添接することを特徴とする保護柵。
【請求項２】
取付部は、取付板であることを特徴とする請求項１記載の保護柵。
【請求項３】
折曲自在部は、一方の柵セグメントの取付側端から３分の１の位置を限界として連結端の側に設けたことを特徴とする請求項１記載の保護柵。
【請求項４】
折曲自在部は、一方の柵セグメントの２分の１位置に設けたことを特徴とする請求項１記載の保護柵。
【請求項５】
折曲自在部に、折曲不能の状態に保持する係止装置を備えたことを特徴とする請求項１・３または４の保護柵。
【請求項６】
両方の柵セグメントは、その下面にキャスターを備えていることを特徴とする請求項１記載の保護柵。
【発明の詳細な説明】
【技術分野】
【０００１】
本発明は、保育所、幼稚園のような子供用施設や家庭等において、囲いスペースを設けてその中で乳幼児を遊ばせる等の場合に用いる保護柵に関する。
【背景技術】
【０００２】
従前、この種の保護柵として、二面の柵状セグメントからなる自立式のＬ型タイプのものが知られている。他方、４面の柵状セグメントで四方を囲むタイプのサークルも使用されている。
【０００３】
しかし、前者には、使用しない場合、折畳んで他のところに移動し、別途、保管しなければならず、その折畳みの作業や仕舞い込みの作業、また再使用に当ってはこれら作業の逆作業を行わなければならず、面倒な作業を必要とした。
【０００４】
また、後者には、前者と同様の弱点に加え、４面の柵状セグメントが連結された構成であるので、折畳んだ場合、そのサイズおよび重さがほぼ倍になり、しかも高コストである等の欠点があった。
【０００５】
さらに、前者には、固定物にビス等で固定することが往々にあった。このため、使用しなくなった場合、ビス等を外す手間隙がかかる面倒な作業が必要になるのみならずその痕が残って目立つ等の問題があった。また、ときには蝶番を一時的に外す等の解体・再組付作業を必要とすることもあった。また、多数台を倉庫等に保管するなどの場合には多人数で持ち運んで格納するという時間・経費のかかる作業も発生していた。
【発明の開示】
【発明が解決しようとする課題】
【０００６】
本発明は、前記したような実情に鑑み、使用しないときは、外すことをせずに、部屋のコーナーを形成する二面の壁や固定したパネル等の固定物の内側に添接状態に所謂押し付けて置くだけの簡単な作業で邪魔にならないようにできる工夫を施し、これにより前記のような諸々の弱点及び問題点を一挙に解決することを目的とする。
【課題を解決するための手段】
【０００７】
上記目的を達成するために、請求項１に係る保護柵は、同じ長さの柵セグメントの一対を回動自在に連結し、その両端をコーナーを形成する二面の固定物への取付部に軸着し、前記少なくとも一方の柵セグメントに折曲自在部を形成し、前記他方の柵セグメントの内方向への直角回動時に、前記一方の柵セグメントも前記固定物の一面に直線状に添接することを特徴とする。
【０００８】
請求項２に係る保護柵は、取付部は、取付板であることを特徴とする。
【０００９】
請求項３に係る保護柵は、折曲自在部が一方の柵セグメントの取付側端から３分の１の位置を限界として連結端の側に設けたことを特徴とする。
【００１０】
請求項４に係る保護柵は、折曲自在部が、一方の柵セグメントの２分の１位置に設けたことを特徴とする。
【００１１】
請求項５に係る保護柵は、折曲自在部に折曲不能の状態に保持する係止装置を備えたことを特徴とする。
【００１２】
請求項６に係る保護柵は、両方の柵セグメントがその下面にキャスターを備えていることを特徴とする。
【発明の効果】
【００１３】
本発明のうち請求項１の発明によれば、部屋のコーナーを形成する二面の壁等の固定物の適宜個所に取付部を固定することにより、四面の囲いスペースを容易且つ迅速に構成することができる。しかも、一対の柵状セグメントを外すことをせずに、引き操作と押し操作で前記二面の固定物に添接の状態に所謂押し付けて置くだけの簡単な作業で邪魔にならない片付けの状態にすることも、これを戻した状態にすることも迅速にすることができる。このため、倉庫等へ片付ける等、移動の必要がなくなるから、前記したような諸々の弱点及び問題点を一挙に解決できる。
【００１４】
本発明のうち請求項２の発明によれば、取付部が取付板であるので、前記二面の壁等の固定物への固定がビス止、釘等で容易にできる。
【００１５】
本発明のうち請求項３の発明によれば、折曲自在部が、一方の柵セグメントの取付端から３分の１の位置を限界として連結端の側に設けられたので、作動中にロック状態を惹起する惧れのない製品を提供できる。
【００１６】
本発明のうち請求項４の発明によれば、折曲自在部を一方の柵セグメントの２分の１位置に設けたので、一方の柵セグメントの大きさの比率を変える必要がなく、等長な分割セグメントを折曲自在に連結するだけでよく、製造が容易、迅速かつ安価となる。
【００１７】
本発明のうち請求項５の発明によれば、前記折曲自在部が一時的に折曲できない状態に保持する係止装置を備えているので、折曲自在部を設けたことに起因する危険性を回避できる。
【００１８】
本発明のうち請求項６の発明によれば、両方の柵セグメントがその下面にキャスターを備えているので、後述するように、取付部（取付板）を壁等の固定物に取り付ける操作の際には、キャスターを利用して移動することで位置合せが容易にできるのは勿論、柵セグメントの開閉作業を容易かつ迅速にすることができる。
【発明を実施するための最良の形態】
【００１９】
図１〜４は、本発明の実施の形態を示すものである。この実施の形態の保護柵１０は、同じ長さの柵セグメント１１a、１１bの一対を蝶番１２により連結することで二つ折り可能に構成されており、その両端には、固定物、例えば部屋１３のコーナー１３aを形成する二面の壁１４a，１４bに固定するための取付板１５a、１５bが設けられている。
【００２０】
前記各柵セグメント１１a、１１bは、正面から視て長方形の横長枠状を呈し、その上・下辺部材１６a、１６b間には多数本の縦桟１７が設けられていると共に、同上・下辺部材１６a、１６bの連結側端１８a，１８b間には対向する配置で一対の角柱部材１９a，１９bが連結用として固定されている。そして、一方の角柱部材１９aはその断面が長方形にされ、他方の角柱部材１９bは断面が正方形にされている。また、前記上・下辺部材１６a、１６bの取付側端２０a、２０bには、前記取付板１５a、１５bの上・下端が縦向きの支軸２１により軸着され、各柵セグメント１１a、１１bは同支軸２１を中心として回転可能に支承されている。
【００２１】
なお、前記断面長方形の角柱部材１９aが固定されている方の柵セグメント１１aは、蝶番２２により連結されることで構成された折曲自在部２３がその中間の縦線個所に設けられ、二つ折り自在な引き側柵セグメントとして使用されるものである。また、正方形の角柱部材１９bが固定されている方の柵セグメント１１bは、二つ折りにはできない構成にされており、押し側柵セグメントとして使用されるものである。
【００２２】
前記折曲自在部２３は、一つの柵セグメントに複数設けること又は両方の柵セグメントに設けることは自由である。また、折曲自在部２３を設けずに連結部を分離自在及び再連結可能な構成にすることで、両柵セグメントを前記二面の壁１４a，１４bに押付けて片付けるようにしてもよい。
【００２３】
前記引き側柵セグメント１１aは、前記折曲自在部２３の外側に同部２３を一時的に折曲できない状態に保持するための係止装置２４が設けられている。この係止装置２４は、先端に頭大部２５を有するピン状の受け体２６と、当該受け体２６に掛け止める切欠２７を先端部に有する掛け体２８とにより構成されており、当該掛け体２８をその支軸２９を中心として廻すことによって切欠２７を受け体２６に掛けたときには、折曲自在部２３を二つ折りにできない状態に保持し、反対に廻したときには外れて当該保持を解放するようになっている。なお、このような係止装置としては、抜き差し操作で掛け外すことができる留めピンを利用した構造のもの、イタズラ防止のためにキーを付けたもの等が考えられる。
【００２４】
また、前記押し側柵セグメント１１bは、図５で示すように上辺の中央個所が凹状にされ、大人が子供を抱いたまま跨いで出入りできるようにされている。この凹状出入口３０には、手摺３１が開閉式として設けられている。なお、この手摺３１には、閉じた状態に保持するためのストッパー（図示せず）が設けられているが、本発明の要点ではないから、ここではその詳細な説明は省略する。
【００２５】
図１・２中、符号３２は、前記引き側柵セグメント１１aの作動及び押し側柵セグメント１１bの作動をスムーズにするために、具体的には蝶番１２が支障なく機能できるようにするために削ぎ落とした傾斜面部である。また符号３３は前記引き側柵セグメント１１aの作動及び押し側柵セグメント１１bの移動を容易にするキャスターである。
【００２６】
すなわち、この実施の形態の保護柵１０は、まず、部屋１３のコーナー１３aを形成する二面の壁１４a，１４bの近くに自立させる。しかるのち、この自立状態のままキャスター３３を使って移動させることにより前記壁１４a，１４bに対する両方の取付板１５a、１５bの位置合せをすると共に、この位置合せの状態で前記壁１４a，１４bに各取付板１５a、１５bを固定する。よって、前記二面の壁１４a，１４bを一部とする囲いスペース３４を形成することができ、また、当該囲いスペース３４を使用しなくなったときには、次に述べるように、引き側柵セグメント１１aを引出したのち押し側柵セグメント１１bを押すという作業を行って片付けられる。
【００２７】
つまり、前記実施の形態の保護柵１０は、自立性とキャスター移動により取付板１５a、１５bの固定作業すなわち組立作業が簡単且つ容易にでき、しかも引き側柵セグメント１１aの引出し操作及び押し側柵セグメント１１bの押し操作を行う要領で片付が簡単且つ容易にできるので、前記のような弱点及び問題点の一挙解決ができる。
【００２８】
次に、前記引き側柵セグメント１１aの引出し操作及び押し側柵セグメント１１bの押し操作について説明する。
【００２９】
囲いスペース３４が形成されている場合には、先ず、係止装置２４を外してから、折曲自在部２３を図３に示す矢印Ａの方向に引出して例えば図５の状態にし、その後、この引出しにより動いた押し側柵セグメント１１bを図３に示す矢印Ｂの方向に押して図６の状態にし、最後に引き側柵セグメント１１aと押し側柵セグメント１１bとの連結部分を図３に示す矢印Ｃ、矢印Ｄの方向に押して図７に示す囲いスペース３４を片付の状態にする。また、囲いスペース３４が必要になった場合には、先ず、引き側柵セグメント１１aを矢印Ｃと逆向きに僅かに引いてから、押し側柵セグメント１１bを矢印Ｄの操作と逆向きに引いて引き側柵セグメント１１aが直線状になったところで止め、最後に係止装置２４を掛けて図１及び２に示す状態にすればよい。
【００３０】
ここで、図８を説明する。この図８は、前記折曲自在部２３を設けることができる位置をＣＡＤによる作図により検証しようとして得たものであり、補助線入りのまま示している。
【００３１】
この図８は、引き側柵セグメント１１aが水平回転する場合の折曲自在部２３すなわち折曲点１a〜１eと、押し側柵セグメント１１bが水平回転する場合の連結端すなわち連結点２a〜２eを示すプロットであり、引き側柵セグメント１１aを１０分割した取付端すなわち支軸２０aから５つ目の分割点３a（２等分位置）、４つ目の分割点３b、３つ目の分割３c及び２つ目の分割点３dと、3分の１の点３eに折曲自在部２３を想定した理論上の５種類の仕切装置を上から見た状態を模式図的に線４a〜４eで表わしている。なお、素材の厚等を考慮していない。
【００３２】
線４a；５つ目の分割点３a（折曲点１a）に折曲自在部を設けた保護柵を示している。
線４b；４つ目の分割点３b（折曲点１b）に折曲自在部を設けた保護柵を示している。
線４c；３つ目の分割点３c（折曲点１c）に折曲自在部を設けた保護柵を示している。
線４d；２つ目の分割点３d（折曲点１d）に折曲自在部を設けた保護柵を示している。
線４e；３分の１（引き側柵セグメント１１ａの支軸２０ａから３分の１）の点３e（折曲点１e）に折曲自在部を設けた保護柵を示している。
【００３３】
・  線４aは、前記実施の態様の保護柵を示しているもので、連結点２aが押し側柵セグメント１１bの連結端の軌跡線５の上に位置し、折曲点１aが壁１４aに接していない。したがって、前記矢印Ａ及び矢印Ｂで示した操作が可能である。
・  線４bは、連結点２bが前記軌跡線５上に位置し、折曲点１bが壁１４aに接していない。したがって、前記矢印Ａ及び矢印Ｂで示した操作が可能である。
・  線４cは、連結点２cが前記軌跡線５上に位置し、折曲点１cが壁１４aに接している。したがって、前記矢印Ａ及び矢印Ｂで示した操作が不可能である。
・  線４dは、連結点２dが前記軌跡線５上に位置し、折曲点１dが壁１４aに接している。したがって、前記矢印Ａ及び矢印Ｂで示した操作が不可能である。
・  線４eは、連結点２eが前記軌跡線５上に位置し、折曲点１eが壁１４aに接している。したがって、前記矢印Ａで示す操作は制限を受ける状態になるが、取付端側２０ｂから一直線であるので矢印Ｂで示した操作は可能である。
【００３４】
これらのことから、折曲自在部２３が前記３分の１より大きい位置に設けられた場合は、矢印Ａ、Ｂ、Ｃ、Ｄの操作が可能であるが、これより小さい位置に設けられた場合は、壁１４aから邪魔を受けてロック状態になることが分かる。
【００３５】
してみると、折曲自在部２３を設ける個所は、取付側２０ａから３分の１より大きい位置に設けてロック状態にならないようにすべきである。
【００３６】
また、図９を説明する。この図９は、取付端側２０ａからの２等分点２ａの位置より大きい位置に折曲自在部２３を設けた場合をＣＡＤによる作図により検証しようとして得たものであり、補助線入りのまま示している。
【００３７】
この図９は、引き側柵セグメント１１aが水平回転する場合の折曲自在部２３すなわち折曲点６f〜６hと、押し側柵セグメント１１bが水平回転する場合の連結端すなわち連結点７f〜７hを示すプロットであり、引き側柵セグメント１１aを１０分割した取付端すなわち取付側端２０aから７つ目の分割点８f、８つ目の分割点８g及び９つ目の分割８hを想定した理論上の３種類の保護柵を上から見た状態を模式図的に線９f〜９hで表わしている。なお、素材の厚等を考慮していない。
【００３８】
線９f；７つ目の分割点７f（折曲点６f）に折曲自在部を設けた保護柵を示している。
線９g；８つ目の分割点８g（折曲点６g）に折曲自在部を設けた保護柵を示している。
線９h；９つ目の分割点９h（折曲点６h）に折曲自在部を設けた保護柵を示している。
【００３９】
前記線９f〜９hは、前記矢印Ａの操作を行った状態を示しているものであるが、これら線９f〜９hから次のようなことが可能になる。
【００４０】
すなわち、折曲げ点６ｆ〜６ｈがいずれも壁１４ａに接触することがなく、前記矢印Ａ、Ｂ、Ｃ、Ｄの操作が可能である。
【００４１】
しかし、実施にあたっては分割点を引き側柵セグメント１１ａの２等分位置（分割点３ａ）にした場合が最も製造しやすく、安定しており、最も好ましい。
【００４２】
本発明は、前記実施の形態では、縦桟を有する木製の横長枠状体を各柵セグメントとしたが、プラスチック製、金属製等の各柵セグメントとすることでも実施できる。
【図面の簡単な説明】
【００４３】
【図１】本発明の実施の形態を示す一部省略斜視図である。
【図２】囲いスペースの形態にした状態で示す全体の斜視図である。
【図３】同じく平面図である
【図４】中間省略したＡ−Ａ断面図である
【図５】引き操作を行った状態で示す全体の斜視図である。
【図６】押し操作を行った状態で示す全体の斜視図である。
【図７】片付の形態にした状態で示す全体の斜視図である。
【図８】作動のパターンを示す説明図である。
【図９】別異の作動のパターンを示す説明図である。
【符号の説明】
【００４４】
１０  実施の形態の保護柵
１１a、１１b  柵セグメント
１３a  コーナー
１４a，１４b  壁
１５a、１５b  取付板
１６a、１６b  上・下辺部材
１８a，１８b  連結端
２０a、２０b  取付側端
２１  支軸
２３  折曲自在部
２４  係止装置
３３  キャスター
【図１】
2008178625.tif 000003
【図２】
2008178625.tif 000004
【図３】
2008178625.tif 000005
【図４】
2008178625.tif 000006
【図５】
2008178625.tif 000007
【図６】
2008178625.tif 000008
【図７】
2008178625.tif 000009
【図８】
2008178625.tif 000010
【図９】
2008178625.tif 000011